(57)【要約】【課題】電話端末とデータ端末とを連動させるシステムにあって、ページング機能を実行される複数の電話端末に関連付けられるデータ端末間の通信接続を効率良く行ない得るサーバ装置を提供する。【解決手段】ＶＣＳサーバＳＶにおいて、ページング機能を実行すべくグループ名と内線端末Ｔ１１〜Ｔ１４それぞれの内線電話番号（ＤＮ１〜ＤＮ４）と主催者／参加者を表す参加区分とを対応付けた参加登録情報テーブルを記憶部に設けておき、ページング機能を意味する呼情報イベントを主装置ＢＴから受信したときに、呼情報イベントに含まれる内線電話番号（ＤＮ１〜ＤＮ４）に基づき参加登録情報テーブルを参照して内線端末Ｔ１１〜Ｔ１４の内線電話番号にそれぞれ関連付けられたデータ端末ＰＣ１〜ＰＣ４間のセッション制御をブロードキャスト映像サーバ２により実行するようにしている。【選択図】      図７
2008135956.tif 000002
【特許請求の範囲】
【請求項１】
呼接続が行なわれる複数の電話端末を特定する電話ＩＤを含む呼情報イベントを受信し、前記複数の電話端末の電話ＩＤにそれぞれ関連付けられた複数のデータ端末における通信接続を前記呼接続に連動させるサーバ装置において、
前記複数の電話端末のうち第１の電話端末にて第２及び第３の電話端末に対し一方向で音声信号を供給するページング機能を実行すべく、前記第１、第２及び第３の電話端末それぞれの電話ＩＤとページング機能による会議の参加の旨を示す参加情報とを対応付けた参加登録テーブルを記憶する記憶手段と、
前記ページング機能を表す呼情報イベントを受信したときに、前記呼情報イベントに含まれる前記電話ＩＤに基づいて、前記参加登録テーブルを参照し、この参照結果に基づいて、前記第１、第２及び第３の電話端末の電話ＩＤにそれぞれ関連付けられたデータ端末間の通信接続を実行する制御手段とを具備したことを特徴とするサーバ装置。
【請求項２】
さらに、前記参加登録テーブルに対し未登録となる第４の電話端末から前記参加登録テーブルへの登録要求が発生した場合に、前記第４の電話端末の電話ＩＤと前記参加情報とを対応付けるべく前記参加登録テーブルを更新する更新手段を備えたことを特徴とする請求項１記載のサーバ装置。
【請求項３】
前記制御手段は、前記呼情報イベント受信時に、前記ページング機能を実行すべく前記第１、第２及び第３の電話端末の電話ＩＤが前記参加登録テーブルに登録されているか否かを判定し、この判定結果に基づいて、登録されている電話ＩＤに関連付けられたデータ端末間の通信接続を実行することを特徴とする請求項１記載のサーバ装置。
【請求項４】
前記複数の電話端末間の交換処理を実行する電話交換機を接続するインタフェースを備え、
前記制御手段は、前記電話交換機から通知される呼情報イベントに基づいて、前記参加登録テーブルを参照し、この参照結果に基づいて、前記第１、第２及び第３の電話端末の電話ＩＤにそれぞれ関連付けられたデータ端末間の通信接続を実行することを特徴とする請求項１記載のサーバ装置。
【請求項５】
前記制御手段は、前記第１の電話端末の電話ＩＤに関連付けられた第１のデータ端末と、前記第２及び第３の電話端末それぞれの電話ＩＤに関連付けられた第２及び第３のデータ端末との間で前記ページング機能に連動した通信接続が確立している状態で、前記参加登録テーブルに対し未登録となる第４の電話端末から前記参加登録テーブルへの登録要求が発生した場合に、前記第４の電話端末の電話ＩＤと前記参加情報とを対応付けるべく前記参加登録テーブルを更新すると共に、前記第４の電話端末に対しページング機能を実行するために必要な呼制御イベントを前記インタフェースを介して前記電話交換機へ送信することを特徴とする請求項４記載のサーバ装置。
【請求項６】
さらに、前記複数のデータ端末間の通信接続処理を実行するブロードキャスト処理部を接続するインタフェースを備え、
前記制御手段は、前記第１、第２及び第３の電話端末の電話ＩＤにそれぞれ関連付けられたデータ端末間の通信接続を前記インタフェースを介して前記ブロードキャスト処理部に実行させることを特徴とする請求項１記載のサーバ装置。
【請求項７】
前記制御手段は、前記第１の電話端末の電話ＩＤに関連付けられた第１のデータ端末と、前記第２及び第３の電話端末それぞれの電話ＩＤに関連付けられた第２及び第３のデータ端末との間で前記ページング機能に連動した通信接続が確立している状態で、前記参加登録テーブルに対し未登録となる第４の電話端末から前記参加登録テーブルへの登録要求が発生した場合に、前記第４の電話端末の電話ＩＤと前記参加情報とを対応付けるべく前記参加登録テーブルを更新すると共に、前記第４の電話端末に関連付けられる第４のデータ端末を通信接続させるために必要なセッション制御指示情報を前記インタフェースを介して前記ブロードキャスト処理部へ送信することを特徴とする請求項６記載のサーバ装置。
【請求項８】
さらに、前記第１の電話端末の電話ＩＤに関連付けられた第１のデータ端末から前記第２及び第３の電話端末の電話ＩＤに関連付けられる第２及び第３のデータ端末を指定したページング機能の実行要求が発生したときに、前記電話交換機に対し前記ページング機能による前記第１、第２及び第３の電話端末間の呼接続を実行させる呼接続制御手段を備えたことを特徴とする請求項４記載のサーバ装置。
【発明の詳細な説明】
【技術分野】
【０００１】
この発明は、例えば電話交換装置に対し通信路を介してサーバ装置を接続し、音声信号に加え映像信号やコンピュータデータ等も取り扱えるようにしたビジュアルコミュニケーションシステムのサーバ装置の改良に関する。
【背景技術】
【０００２】
オフィスや事業所では、構内ネットワークシステムが用いられている。この構内ネットワークシステムは、例えば電話機を構内交換装置（ＰＢＸ：Private Branch Exchange）やボタン電話装置といった電話交換装置に内線端末として収容し、内線端末と公衆網等の外部通信網との間及び内線端末相互間を電話交換装置により交換接続して通話を可能にしている。
【０００３】
また、最近では、テレビ電話端末やパーソナル・コンピュータ等のデータ端末を接続したサーバを伝送路を介して電話交換装置に接続し、電話交換装置を用いた音声通信系と、サーバを用いたデータ通信系とを連動させるシステムも提案されている。
【０００４】
ところで、上記のような電話交換装置とサーバとの並列型のシステムにおいて、テレビ会議等を構築する場合もあり、この場合、ＭＣＵ(Multi-Point Control Unit)を利用することが考えられている。しかし、ＭＣＵを利用した場合に、使用頻度の高い少人数で会議を構築すると、ＭＣＵの会議リソース不足が起こりやすくなる。また、例えば会社の経営者が複数の社員に対して訓示を行うような１対多者の一方向ビデオ会議を行う場合にも、会議主催者が会議に加えたい多数のユーザに対し電話端末を用いて一人ずつ順番に呼び出さなければならず、操作が大変である。そこで、１対多者の一方向ビデオ会議を行う場合には、電話交換装置の持つ会議機能による煩雑な操作を行なうことなく、電話交換装置に既に備えられているページング機能を利用するシステムが従来から考えられている（例えば、特許文献１）。
【特許文献１】特開平４−３０４７９６号公報。
【発明の開示】
【発明が解決しようとする課題】
【０００５】
しかしながら、上記システムは、データ端末間のデータ通信接続を電話端末の呼状態に連動させるＶＣＳ(Visual Communication System)に適用するものではない。
【０００６】
そこで、この発明の目的は、電話端末とデータ端末とを連動させるシステムにあって、ページング機能を実行される複数の電話端末に関連付けられるデータ端末間の通信接続を効率良く行ない得るサーバ装置を提供することにある。
【課題を解決するための手段】
【０００７】
上記目的を達成するために、この発明に係るサーバ装置は、呼接続が行なわれる複数の電話端末を特定する電話ＩＤを含む呼情報イベントを受信し、複数の電話端末の電話ＩＤにそれぞれ関連付けられた複数のデータ端末における通信接続を呼接続に連動させるサーバ装置において、複数の電話端末のうち第１の電話端末にて第２及び第３の電話端末に対し一方向で音声信号を供給するページング機能を実行すべく、第１、第２及び第３の電話端末それぞれの電話ＩＤとページング機能による会議の参加の旨を示す参加情報とを対応付けた参加登録テーブルを記憶する記憶手段と、ページング機能を表す呼情報イベントを受信したときに、呼情報イベントに含まれる電話ＩＤに基づいて、参加登録テーブルを参照し、この参照結果に基づいて、第１、第２及び第３の電話端末の電話ＩＤにそれぞれ関連付けられたデータ端末間の通信接続を実行する制御手段とを備えるようにしたものである。
【０００８】
この構成によれば、ページング機能を実行すべく第１、第２及び第３の電話端末それぞれの電話ＩＤと参加の旨を示す参加情報とを対応付けた参加登録テーブルをメモリに記憶し管理しておくことで、ページング機能を表す呼情報イベントを受信したときに、呼情報イベントに含まれる電話ＩＤに基づき参加登録テーブルを参照して第１、第２及び第３の電話端末の電話ＩＤにそれぞれ関連付けられたデータ端末間の通信接続が実行されることになる。
【０００９】
従って、例えば会社の経営者が複数の社員に対して訓示を行うような１対多者の一方向ビデオ会議を行う場合に、会議主催者が一方向ビデオ会議に参加させたいユーザに対して電話端末によるページング呼びの操作を行なうだけで、その時点で一方向ビデオ会議への参加を登録しているユーザに対して、音声及び映像による１対多者の一方向ビデオ会議を行うことができる。
【００１０】
さらに、参加登録テーブルに対し未登録となる第４の電話端末から参加登録テーブルへの登録要求が発生した場合に、第４の電話端末の電話ＩＤと参加情報とを対応付けるべく参加登録テーブルを更新する更新手段を備えたことを特徴とする。
【００１１】
この構成によれば、参加登録テーブルへの未登録の第４の電話端末のユーザから一方向ビデオ会議への参加希望があった場合にも、柔軟に対応して第４の電話端末の電話ＩＤと参加情報とを参加登録テーブルに登録できる。
【００１２】
制御手段は、呼情報イベント受信時に、ページング機能を実行すべく第１、第２及び第３の電話端末の電話ＩＤが参加登録テーブルに登録されているか否かを判定し、この判定結果に基づいて、登録されている電話ＩＤに関連付けられたデータ端末間の通信接続を実行することを特徴とする。
【００１３】
この構成によれば、ページング機能に連動させた通信接続の実行に先立ち、呼情報イベントに含まれる電話ＩＤと参加登録テーブル中の電話ＩＤとを比較し、この比較結果に基づき登録されている電話ＩＤに関連付けられたデータ端末間の通信接続を実行するようにしている。このため、データ端末間の不要な通信接続を防止してページング機能による一方向ビデオ会議を効率良く実行できる。
【００１４】
制御手段は、第１の電話端末の電話ＩＤに関連付けられた第１のデータ端末と、第２及び第３の電話端末それぞれの電話ＩＤに関連付けられた第２及び第３のデータ端末との間でページング機能に連動した通信接続が確立している状態で、参加登録テーブルに対し未登録となる第４の電話端末から参加登録テーブルへの登録要求が発生した場合に、第４の電話端末の電話ＩＤと参加情報とを対応付けるべく参加登録テーブルを更新すると共に、第４の電話端末に対しページング機能を実行するために必要な呼制御イベントをインタフェースを介して電話交換機へ送信することを特徴とする。
【００１５】
この構成によれば、一方向ビデオ会議の開催中に、第４の電話端末のユーザが会議への参加登録を行った場合に、その時点で一方向ビデオ会議への参加登録を行った第４の電話端末のユーザを１対多者の一方向ビデオ会議に加えることができ、これによりサービス性の高いビジュアルコミュニケーションシステムを提供できる。
【００１６】
さらに、複数のデータ端末間の通信接続処理を実行するブロードキャスト処理部を接続するインタフェースを備え、制御手段は、第１、第２及び第３の電話端末の電話ＩＤにそれぞれ関連付けられたデータ端末間の通信接続をインタフェースを介してブロードキャスト処理部に実行させることを特徴とする。
【００１７】
この構成によれば、ページング機能により会議接続される複数の電話端末に関連付けて複数のデータ端末間の通信接続制御を実行する場合に、データ端末間の通信接続処理をサーバ装置に頼らずにブロードキャスト処理部で分担して実行するようにしている。
【００１８】
このため、電話端末間の会議接続を伴うデータ端末間の通信接続制御をサーバ装置とブロードキャスト処理部とが協働して効率良く実行することができる。
【００１９】
さらに、第１の電話端末の電話ＩＤに関連付けられた第１のデータ端末から第２及び第３の電話端末の電話ＩＤに関連付けられる第２及び第３のデータ端末を指定したページング機能の実行要求が発生したときに、電話交換機に対しページング機能による第１、第２及び第３の電話端末間の呼接続を実行させる呼接続制御手段を備えたことを特徴とする。
【００２０】
この構成によれば、会議主催者の第１のデータ端末より、会議への参加を依頼する第２及び第３のデータ端末を指定し、一方向ビデオ会議の開始指示を行うという簡単な操作により、その時点で一方向ビデオ会議への参加を登録しているユーザに対して、電話交換機のページング機能を自動的に動作させ、会議主催者から会議参加者に対する音声によるページング呼びを行い、また、会議主催者から会議参加者に対する映像による一方向ビデオ会議を開始することができる。
【発明の効果】
【００２１】
以上詳述したようにこの発明によれば、電話端末とデータ端末とを連動させるシステムにあって、ページング機能を実行される複数の電話端末に関連付けられるデータ端末間の通信接続を効率良く行ない得るサーバ装置を提供することができる。
【発明を実施するための最良の形態】
【００２２】
以下、この発明の実施形態について図面を参照して詳細に説明する。  
（第１の実施形態）  
図１は、この発明の第１の実施形態に係わるビジュアルコミュニケーションシステムを示す概略構成図である。
【００２３】
このシステムは、同図に示すように、主装置ＢＴと、ＶＣＳ（Video Communication Solution）サーバＳＶとを備え、これら主装置ＢＴとＶＣＳサーバＳＶとの間をＬＡＮ（Local Area Network）１により接続している。
【００２４】
主装置ＢＴは、内線端末Ｔ１１〜Ｔ１ｉを内線を介して収容している。また、主装置ＢＴは公衆網ＮＷに局線Ｌを介して接続されている。そして、主装置ＢＴは、内線端末Ｔ１１〜Ｔ１ｉ相互間、もしくは内線端末Ｔ１１〜Ｔ１ｉと公衆網ＮＷとの間の交換処理を実行する。
【００２５】
ＶＣＳサーバＳＶは、複数のデータ端末ＰＣ１〜ＰＣｎ及びブロードキャスト処理部としてのブロードキャスト映像サーバ２をＩＰネットワークＩＰＮを介して収容している。これらのデータ端末ＰＣ１〜ＰＣｎは、いずれも汎用のパーソナル・コンピュータからなり、各内線端末Ｔ１１〜Ｔ１ｉにそれぞれ関連して動作するものである。また、ブロードキャスト映像サーバ２は、ＶＣＳサーバＳＶからの会議制御情報に基づいて、データ端末ＰＣ１〜ＰＣｎ間のセッション処理を実行し、例えば会議主催者となるデータ端末ＰＣ１の会議映像信号をブロードキャストでデータ端末ＰＣ２〜ＰＣｎに配信するものである。
【００２６】
上記ＶＣＳサーバＳＶは、主装置ＢＴに対する付加的機能を実行するもので、例えば映像等のメディア情報を処理する。
【００２７】
図２は、上記ＶＣＳサーバＳＶの機能構成を示すブロック図である。  
ＶＣＳサーバＳＶは、ＬＡＮインタフェース（Ｉ／Ｆ）部１１と、制御部１２と、記憶部１３と、ＰＣインタフェース（Ｉ／Ｆ）部１４とを備えている。このうち、ＬＡＮインタフェース部１１は、ＬＡＮ１との間でインタフェース処理を行うものである。
【００２８】
ＰＣインタフェース部１４は、データ端末ＰＣ１〜ＰＣｎとの間及びブロードキャスト映像サーバ２との間でインタフェース処理を行うものである。
【００２９】
記憶部１３は、上記制御部１２の接続制御に必要なルーティング情報等を格納している。さらに、記憶部１３には、接続情報管理テーブル１３１と、内線端末−ＶＣ関連付けテーブル１３２と、セッション情報管理テーブル１３３と、参加登録情報テーブル１３４とが設けられる。
【００３０】
接続情報管理テーブル１３１には、図３に示す如く、呼グループと、内線端末Ｔ１１〜Ｔ１ｉそれぞれの電話番号（電話ＩＤ）と、呼状態を示す状態情報との対応関係を表すデータが記憶されている。なお、ＤＮ１〜ＤＮ４は上記内線端末Ｔ１１〜Ｔ１４それぞれの電話ＩＤを示している。ここでは、説明を簡単にするため、内線端末Ｔ１１〜Ｔ１４とする。
【００３１】
内線端末−ＶＣ関連付けテーブル１３２には、図４に示すように、内線端末Ｔ１１〜Ｔ１ｉとデータ端末（ＶＣ）ＰＣ１〜ＰＣｎとの対応関係を示すデータが記憶されている。なお、図中ＶＣ  ＰＣ−１〜ＶＣ  ＰＣ−８は、データ端末ＰＣ１〜ＰＣ８それぞれのユーザＩＤを示している。
【００３２】
セッション情報管理テーブル１３３には、図５に示すように、データ端末ＰＣ１〜ＰＣｎ間のセッション状態を示す情報が記憶されている。
【００３３】
参加登録情報テーブル１３４には、図６に示すように、指定会議グループと、内線端末Ｔ１１〜Ｔ１ｉの電話番号と、一方向会議の主催者か参加者かを示す参加区分との対応関係を示すデータが記憶されている。
【００３４】
一方、制御部１２は、データ端末ＰＣ１〜ＰＣｎの状態管理やデータ端末ＰＣ１〜ＰＣｎと内線端末Ｔ１１〜Ｔ１ｉとの連携動作に係わる制御機能に加え、この発明に係わる新たな機能として、接続情報登録部１２１と、セッション制御部１２２と、登録制御部１２３とを備えている。
【００３５】
接続情報登録部１２１は、主装置ＢＴから通知された呼情報イベントを分析することで、例えば内線端末Ｔ１５と内線端末Ｔ１６が通話中になったことを判断し、接続情報管理テーブル１３１に「ＤＮ５」と「通話中」とを対応付け、「ＤＮ６」と「通話中」とを対応付けて登録する。また、接続情報登録部１２１は、呼情報イベントを分析することで、例えば内線端末Ｔ１１〜Ｔ１４がページング機能による一方向会議接続がなされた場合に、接続情報管理テーブル１３１に「ＤＮ１」と「通話中」とを対応付け、「ＤＮ２」と「ページング着信中」とを対応付け、「ＤＮ３」と「ページング着信中」とを対応付け、「ＤＮ４」と「ページング着信中」とを対応付けて登録する。
【００３６】
セッション制御部１２２は、更新された状態情報に基づき、内線端末−ＶＣ関連付けテーブル１３２により内線端末Ｔ１５はデータ端末ＰＣ５（ＶＣ  ＰＣ−５）に、内線端末Ｔ１６はデータ端末ＰＣ６（ＶＣ  ＰＣ−５）に関連付いていることを読み出して、セッション情報管理テーブル１３３によりデータ端末ＰＣ５，ＰＣ６のセッション状態を検索する。例えば、これから通話を開始するような場合、データ端末ＰＣ５，ＰＣ６はセッションが開始されていないため、セッション制御部１２２はデータ端末ＰＣ５，ＰＣ６のセッションを開始するように制御する。そして、セッション制御部１２２は、データ端末ＰＣ５，ＰＣ６のセッションが確立すると、セッション情報管理テーブル１３３の記憶内容を更新する。
【００３７】
また、セッション制御部１２２は、ページング機能を意味する呼情報イベント受信時に、呼情報イベントに含まれる電話ＩＤが参加登録情報テーブル１３４に登録されているか否かを判定し、この判定結果に基づき内線端末−ＶＣ関連付けテーブル１３２を参照して登録済みの電話番号に関連付けられるデータ端末ＰＣ１〜ＰＣ４のセッション状態をセッション情報管理テーブル１３３から検索する。そして、これから一方向会議を開始するような場合、セッション制御部１２２は、セッション対象となるデータ端末ＰＣ１〜ＰＣ４のユーザＩＤを含む会議制御情報をセッション制御指示に含めてブロードキャスト映像サーバ２に送信する。
【００３８】
登録制御部１２３は、参加登録情報テーブル１３４に対し未登録となる内線端末Ｔ１５から一方向ビデオ会議への登録要求があった場合に、内線端末Ｔ１５のユーザが参加したい会議グループと内線端末Ｔ１５の電話番号と参加区分とを対応付けて参加登録情報テーブル１３４に登録する。
【００３９】
次に、以上のように構成されたビジュアルコミュニケーションシステムの動作を説明する。  
図７は、内線端末Ｔ１１〜Ｔ１４にてページング機能により会議接続された際の各データ端末ＰＣ１〜ＰＣ４のセッション確立を行なう場合の動作を示すシーケンス図である。図８は、その際の主装置ＢＴの制御処理手順を示すフローチャートであり、図９はＶＣＳサーバＳＶの制御処理手順を示すフローチャートである。
【００４０】
一方向ビデオ会議の実行に先立ち、会議メンバーであるデータ端末ＰＣ１〜ＰＣ４のユーザは、ＶＣＳサーバＳＶの参加登録情報テーブル１３４に対し一方向ビデオ会議への参加を登録しておく。
【００４１】
そして、発信側内線端末Ｔ１１がオフフックし、一方向ビデオ会議を行うためのページング操作を行った場合、主装置ＢＴはステップＳＴ８ａからステップＳＴ８ｂに移行してここで着信側内線端末Ｔ１２〜Ｔ１４の呼び出しを開始したか否かを判断する。そして、呼び出しを開始している場合（Ｙｅｓ）、主装置ＢＴは接続者情報(発信側ＤＮ、着信側ＤＮ)を含むページング着信を意味する呼情報イベントをＶＣＳサーバＳＶに送信する(ステップＳＴ８ｃ)。
【００４２】
一方、ＶＣＳサーバＳＶはステップＳＴ９ａからステップＳＴ９ｂに移行して受信した呼情報イベントに含まれる接続者情報(発信側ＤＮ[通話中]、着信側ＤＮ[ページング着信中])を接続情報管理テーブル１３１に登録する。
【００４３】
その後、ＶＣＳサーバＳＶは会議への参加登録情報テーブル１３４を参照し、受信した呼情報イベントに含まれる接続者情報(着信側ＤＮ)が登録されているか(会議室に入室しているか)を判断する(ＳＴ９ｃ)。そして、着信側ＤＮが会議室に入室していない場合は処理を終了し、着信側ＤＮが会議室に入室している場合、ＶＣＳサーバＳＶは発信側ＤＮ１、着信側ＤＮ２〜４それぞれに関連づけられたデータ端末ＰＣ１〜ＰＣ４間のセッション接続状態をセッション情報管理テーブル１３３に登録する(ステップＳＴ９ｄ)。
【００４４】
次に、ＶＣＳサーバＳＶは、ブロードキャスト映像サーバ２へ会議制御情報を含むセッション制御指示を行い、ページング着信中に発信側ＤＮに関連づけられたデータ端末ＰＣ１のビデオ映像を着信側ＤＮに関連づけられたデータ端末ＰＣ２〜ＰＣ４へ配信してビデオ表示させる(ステップＳＴ９ｅ)。
【００４５】
以上のように上記第１の実施形態では、ＶＣＳサーバＳＶにおいて、ページング機能を実行すべくグループ名と内線端末Ｔ１１〜Ｔ１４それぞれの内線電話番号（ＤＮ１〜ＤＮ４）と主催者／参加者を表す参加区分とを対応付けた参加登録情報テーブル１３４を記憶部１３に設けておき、ページング機能を意味する呼情報イベントを主装置ＢＴから受信したときに、呼情報イベントに含まれる内線電話番号に基づき参加登録情報テーブル１３４を参照して内線端末Ｔ１１〜Ｔ１４の内線電話番号にそれぞれ関連付けられたデータ端末ＰＣ１〜ＰＣ４間のセッション制御をブロードキャスト映像サーバ２により実行するようにしている。
【００４６】
従って、例えば会社の経営者が複数の社員に対して訓示を行うような１対多者の一方向ビデオ会議を行う場合に、会議主催者が一方向ビデオ会議に参加させたいユーザに対して内線端末Ｔ１１によるページング呼びの操作を行なうだけで、その時点で一方向ビデオ会議への参加を登録している内線端末Ｔ１２〜Ｔ１４のユーザに対して、音声及び映像による１対多者の一方向ビデオ会議を行うことができる。
【００４７】
また、上記第１の実施形態では、ＶＣＳサーバＳＶにおいて、ページング機能による一方向ビデオ会議に連動させたセッション制御の実行に先立ち、呼情報イベントに含まれるＤＮと参加登録情報テーブル１３４中のＤＮとを比較し、この比較結果に基づき登録されているＤＮに関連付けられたデータ端末ＰＣ１〜ＰＣ４間のセッション制御を実行するようにしている。このため、データ端末ＰＣ１〜ＰＣ４間の不要なセッション制御を防止してページング機能による一方向ビデオ会議を効率良く実行できる。
【００４８】
また、上記第１の実施形態では、ページング機能による一方向ビデオ会議を行なう内線端末Ｔ１１〜Ｔ１４に関連付けてデータ端末ＰＣ１〜ＰＣ４間のセッション制御を実行する場合に、データ端末ＰＣ１〜ＰＣ４間のセッション制御をＶＣＳサーバＳＶに頼らずにブロードキャスト映像サーバ２で分担して実行するようにしている。
【００４９】
このため、内線端末Ｔ１１〜Ｔ１４間の会議接続を伴うデータ端末ＰＣ１〜ＰＣ４間のセッション制御をＶＣＳサーバＳＶとブロードキャスト映像サーバ２とが協働して効率良く実行することができる。
【００５０】
（第２の実施形態）  
この発明の第２の実施形態は、予めメール等の(既存の)通信手段により、会議主催者である発信側内線端末のユーザ(発信側ＤＮに関連づけられたデータ端末を持つユーザ)から開催日時等の情報を含む一方向ビデオ会議の参加連絡を受けたユーザ(着信側ＤＮに関連づけられたデータ端末を持つユーザ)が一方向ビデオ会議に参加するために、ＶＣＳサーバＳＶ上に仮想的に設置された指定された会議室へアクセスし、入室する(会議への参加意思をＶＣＳサーバＳＶ上の会議への参加登録情報テーブル１３４に記憶する)場合を例に説明する。
【００５１】
図１０は、この発明の第２の実施形態として、参加登録情報テーブル１３４へのユーザが登録を行う際のＶＣＳサーバＳＶの制御処理手順を示すフローチャートである。
【００５２】
着信側内線端末Ｔ１４(ＤＮ４)に関連づけられたデータ端末ＰＣ４でＶＣＳサーバＳＶ上の仮想会議室へ入室設定を行なう場合、ＶＣＳサーバＳＶはステップＳＴ１０ａからステップＳＴ１０ｂに移行してここで着信側ＤＮに関連づけられたデータ端末ＰＣ４が指定された会議室へ入室したかを判断する。
【００５３】
そして、着信側内線端末Ｔ１４(ＤＮ４)に関連づけられたデータ端末ＰＣ４が会議室へ入室していない場合は処理を終了し、会議室へ入室した場合、ＶＣＳサーバＳＶは指定された会議グループ（会議室）と内線端末Ｔ１４の内線電話番号（ＤＮ４）と参加区分（参加者）とを参加登録情報テーブル１３４に登録する(ステップＳＴ１０ｃ)。
【００５４】
その後、ＶＣＳサーバＳＶは接続情報管理テーブル１３１を参照し、入室を行ったユーザ(着信側ＤＮ４)がページング着信中か否かを判断する(ステップＳＴ１０ｄ)。そして、入室を行ったユーザ(着信側ＤＮ４)がページング着信中ではない場合（Ｎｏ）、処理を終了し、入室を行ったユーザ(着信側ＤＮ４)がページング着信中である場合（Ｙｅｓ）、発信側ＤＮ１、着信側ＤＮ４それぞれに関連づけられたデータ端末ＰＣ１，ＰＣ４間のセッション接続状態をセッション情報管理テーブル１３３に登録する(ステップＳＴ１０ｅ)。
【００５５】
次に、ＶＣＳサーバＳＶは、ブロードキャスト映像サーバ２へ会議制御情報を含むセッション制御指示を行い、ページング着信中に発信側ＤＮ１に関連づけられたデータ端末ＰＣ１のビデオ映像を着信側ＤＮ５に関連づけられたデータ端末ＰＣ４へ配信しビデオ表示させる(ステップＳＴ１０ｆ)。
【００５６】
一方、上記内線端末Ｔ１１〜Ｔ１４間で一方向ビデオ会議を実行中に、参加登録情報テーブル１３４への未登録のデータ端末ＰＣ５のユーザから会議への参加要求がＶＣＳサーバＳＶに到来したとする。そうすると、ＶＣＳサーバＳＶは、指定された会議グループ（会議室）とデータ端末ＰＣ５に関連付けられる内線端末Ｔ１５の内線電話番号（ＤＮ５）と参加区分（参加者）とを参加登録情報テーブル１３４に登録し、内線端末Ｔ１５を一方向ビデオ会議に加えるために必要な呼制御イベントを主装置ＢＴへ送信する。
【００５７】
以後、ＶＣＳサーバＳＶは受信した呼情報イベントに含まれる接続者情報(発信側ＤＮ[通話中]、着信側ＤＮ[ページング着信中])を接続情報管理テーブル１３１に登録する。
【００５８】
その後、ＶＣＳサーバＳＶは主装置ＢＴから呼情報イベントを受信した際に、セッション情報管理テーブル１３３中のデータ端末ＰＣ１〜ＰＣ４間のセッション接続状態をデータ端末ＰＣ１〜ＰＣ５間のセッション接続状態に更新し、ブロードキャスト映像サーバ２へ会議制御情報を含むセッション制御指示を行い、ページング着信中に発信側ＤＮ１に関連づけられたデータ端末ＰＣ１のビデオ映像を着信側ＤＮ２〜ＤＮ５に関連づけられたデータ端末ＰＣ２〜ＰＣ５へ配信してビデオ表示させる。
【００５９】
以上のように上記第２の実施形態では、ＶＣＳサーバＳＶにおいて、内線端末Ｔ１４のユーザから一方向ビデオ会議への参加希望があった場合に、指定の会議グループ（会議室）と内線端末Ｔ１４のＤＮ４と参加区分とを対応付けて参加登録情報テーブル１３４に登録するようにしている。このため、内線端末Ｔ１４のユーザは、簡単な登録操作で一方向ビデオ会議へ参加することができる。
【００６０】
また、第２の実施形態では、ＶＣＳサーバＳＶにおいて、一方向ビデオ会議の開催中に、内線端末Ｔ１５のユーザがデータ端末ＰＣ５により会議への参加登録を行った場合に、その時点で一方向ビデオ会議への参加登録を行った内線端末Ｔ１５のユーザを１対多者の一方向ビデオ会議に加えることができ、これによりサービス性の高いビジュアルコミュニケーションシステムを提供できる。
【００６１】
（その他の実施形態）  
この発明は、上記各実施形態に限定されるものではない。例えば上記各実施形態では、主装置からページング機能を意味する呼情報イベントを受信したときに、データ端末間のセッション制御を実行する例について説明した。しかしこれに限ることなく、会議主催者が発信側ＤＮに関連づけられたデータ端末のＧＵＩにより、会議へ参加を依頼する複数のメンバー(着信側ＤＮに関連づけられたデータ端末)を指定し、ＶＣＳサーバに対して一方向ビデオ開始指示を行うようにしてもよい。これによれば、会議主催者がページング操作を行わなくとも、自動的に会議主催者の内線端末より会議参加者に対するページング呼びを行い、会議室へ入室しているユーザに対して一方向ビデオ会議を行うことができる。
【００６２】
また、上記各実施形態では、主装置とＶＣＳサーバとを別々に設ける例について説明したが、ＶＣＳサーバ内に主装置の機能を組み込むようにしてもよい。
【００６３】
さらに、上記各実施形態では、データ端末間のセッション制御をＶＣＳサーバとブロードキャスト映像サーバとに分担させる例について説明したが、セッション制御を行うデータ端末の台数が少ない場合にＶＣＳサーバのみで実行するようにしてもよい。
【００６４】
その他、ＶＣＳサーバの構成及び種類、電話交換装置の種類（主装置に限らずＰＢＸでもよい）や内線端末の種類、データ端末の種類、各種テーブルの記憶内容、データ端末間のセッション制御方法等についても、この発明の要旨を逸脱しない範囲で種々変形して実施できる。
【図面の簡単な説明】
【００６５】
【図１】この発明の第１の実施形態に係わるビジュアルコミュニケーションシステムを示す概略構成図。
【図２】図１に示したＶＣＳサーバの機能構成を示すブロック図。
【図３】上記図２に示した接続情報管理テーブルの記憶内容の一例を示す図。
【図４】上記図２に示した内線端末−ＶＣ関連付けテーブルの記憶内容の一例を示す図。
【図５】上記図２に示したセッション情報管理テーブルの記憶内容の一例を示す図。
【図６】上記図２に示した参加登録情報テーブルの記憶内容の一例を示す図。
【図７】同第１の実施形態において、一方向ビデオ会議に連動したセッション制御を実行する際の内線端末と、主装置と、ＶＣＳサーバと、ブロードキャスト映像サーバと、データ端末との間における情報の送受信動作を示す概略シーケンス図。
【図８】同第１の実施形態において、ページング機能により会議接続された際の主装置の制御手順を示すフローチャート。
【図９】同第１の実施形態において、ページング機能により会議接続された際のＶＣＳサーバの制御手順を示すフローチャート。
【図１０】この発明の第２の実施形態として、データ端末のユーザが一方向ビデオ会議に参加する際のＶＣＳサーバの制御手順を示すフローチャート。
【符号の説明】
【００６６】
１…ＬＡＮ（Local Area Network）、２…ブロードキャスト映像サーバ、１１…ＬＡＮインタフェース（Ｉ／Ｆ）部、１２…制御部、１３…記憶部、１４…ＰＣインタフェース（Ｉ／Ｆ）部、１２１…接続情報登録部、１２２…セッション制御部、１２３…登録制御部、１３１…接続情報管理テーブル、１３２…内線端末−ＶＣ関連付けテーブル、１３３…セッション情報管理テーブル、１３４…参加登録情報テーブル、Ｔ１１〜Ｔ１ｉ…内線端末、Ｌ…局線、ＮＷ…公衆網、ＢＴ…主装置、ＰＣ１〜ＰＣｎ…データ端末、ＳＶ…ＶＣＳサーバ。
【図１】
2008135956.tif 000003
【図２】
2008135956.tif 000004
【図３】
2008135956.tif 000005
【図４】
2008135956.tif 000006
【図５】
2008135956.tif 000007
【図６】
2008135956.tif 000008
【図７】
2008135956.tif 000009
【図８】
2008135956.tif 000010
【図９】
2008135956.tif 000011
【図１０】
2008135956.tif 000012